(57)【要約】【課題】ビルや家屋等の建設現場若しくは工事現場、被災地の災害復旧の作業現場などに運搬して設置し、作業者等が熱中症などの不調を感じた時或いは暖をとりたい時などに、容易に避難して休憩をとることが可能なポータブルエアコンルームを提供する。【解決手段】運搬可能なポータブルエアコンルームであり、一側面部に設けられた開閉扉から入退室が可能になっている密閉型の直方体状の筐体で成り、筐体の一側面部の内側にエアコンの室内機が設置されると共に、外側に室外機が設置され、エアコンには電源コードが接続されており、筐体内の天井板若しくは側面上部に照明灯が設置され、照明灯には電源コードが接続されており、筐体内の下部に折り畳み可能な椅子が設置されている。【選択図】図１
2020063864.tif 000002
【特許請求の範囲】
【請求項１】
一側面部に設けられた開閉扉から入退室が可能になっている密閉型の直方体状の筐体で成り、
前記筐体の一側面部の内側にエアコンの室内機が設置されると共に、外側に室外機が設置され、前記エアコンには電源コードが接続されており、
前記筐体内の天井板若しくは側面部上部に照明灯が設置され、前記照明灯には前記電源コードが接続されており、
前記筐体内の下部に折り畳み可能な椅子が設置されていることを特徴とするポータブルエアコンルーム。
【請求項２】
前記筐体が断熱構造になっている請求項１に記載のポータブルエアコンルーム。
【請求項３】
前記電源コードを外部のコンセントに差し込んで、前記筐体に設けられている電源スイッチをＯＮすることにより、前記エアコンが作動すると共に、前記照明灯が点灯するようになっている請求項１又は２に記載のポータブルエアコンルーム。
【請求項４】
前記エアコンによる温度を調節できるようになっている請求項１乃至３のいずれかに記載のポータブルエアコンルーム。
【請求項５】
前記照明灯の明るさを調節できるようになっている請求項１乃至４のいずれかに記載のポータブルエアコンルーム。
【請求項６】
前記筐体の一側面部に換気用ルーバーが設けられている請求項１乃至５のいずれかに記載のポータブルエアコンルーム。
【請求項７】
前記筐体の頂部にフック若しくはリングの吊り下げ部材が設けられ、運搬可能になっている請求項１乃至６のいずれかに記載のポータブルエアコンルーム。
【請求項８】
前記開閉扉が開き戸であり、開閉ノブが設けられている請求項１乃至７のいずれかに記載のポータブルエアコンルーム。
【発明の詳細な説明】
【技術分野】
【０００１】
本発明は、ビルや家屋等の建設現場ないしは工事現場、或いは被災地の復旧・復興作業の現場などに運搬して設置し、現場作業者、ボランティア参加者等が体調の不調を感じた時などに、容易に避難して休憩をとったり、リラックス空間を与えることにより体調維持を図ると共に、熱中症などの疾病や健康被害を防止することが可能なポータブルエアコンルームに関する。
【背景技術】
【０００２】
ビルや家屋等の建設現場ないしは工事現場、或いは台風や水害等の被災地の災害復旧の作業現場などでは、多くの作業員やボランティア参加者等が仕事に専念しており、このような建設現場等にはトイレがないため、作業員等が容易に利用できる簡易式トイレが設置される。つまり、作業員等が仕事中にトイレを要する場合には、現場に設置されている簡易式トイレを利用することができるため、わざわざ遠くのトイレのあるビル等に行く必要がない。
【先行技術文献】
【特許文献】
【０００３】
【特許文献１】特開２０１２−２３８３３２号公報
【特許文献２】特表２００９−５１８７６２号公報
【特許文献３】特開平１０−３２５３３３号公報
【発明の概要】
【発明が解決しようとする課題】
【０００４】
しかしながら、最近の夏季の気候は猛暑、酷暑等と称されるように、３５℃を超えるような暑い場所や地域で作業を行うことも多く、特に作業員やボランティア参加者等の熱中症対策が問題になっている。しかしながら、従来そのような作業環境においても、作業現場の近くに涼を取れるような場所や空間がなく、建設現場、工事現場或いは作業現場等から離れた休憩所等まで移動して避難する必要があった。また、冬季の厳寒期においても、作業員等の防寒対策が必要であるにも拘わらず、保護する場所や空間は特別に準備されていない。
【０００５】
本発明は上述のような事情よりなされたものであり、本発明の目的は、ビルや家屋等の建設現場ないしは工事現場、被災地の復旧・復興の作業現場などに運搬して設置し、作業者等が熱中症などの不調を感じた時或いは暖をとりたい時などに、容易に避難して休憩をとることが可能なポータブルエアコンルームを提供することにある。
【課題を解決するための手段】
【０００６】
本発明は、運搬可能なポータブルエアコンルームに関し、本発明の上記目的は、一側面部に設けられた開閉扉から入退室が可能になっている密閉型の直方体状の筐体で成り、前記筐体の一側面部の内側にエアコンの室内機が設置されると共に、外側に室外機が設置され、前記エアコンには電源コードが接続されており、前記筐体内の天井板若しくは側面部上部に照明灯が設置され、前記照明灯には前記電源コードが接続されており、前記筐体内の下部に折り畳み可能な椅子が設置されていることにより達成される。
【０００７】
本発明の上記目的は、前記筐体が断熱構造になっていることにより、或いは前記電源コードをコンセントに差し込んで、前記筐体に設けられている電源スイッチをＯＮすることにより、前記エアコンが作動すると共に、前記照明灯が点灯することにより、或いは前記エアコンによる温度を調節できるようになっていることにより、或いは前記照明灯の明るさを調節できるようになっていることにより、或いは前記筐体の一側面部に換気用ルーバーが設けられていることにより、或いは前記筐体の頂部にフック若しくはリングの吊り下げ部材が設けられ、運搬可能になっていることにより、或いは前記開閉扉が開き戸であり、開閉ノブが設けられていることにより、効果的に達成される。
【発明の効果】
【０００８】
本発明に係るポータブルエアコンルームによれば、２トントラックなどで工事現場、被災地等に運搬して設置することができ、設置後、商用電源のコンセントに電源コードを差し込んでスイッチをＯＮするだけで、直ぐに利用可能である利点がある。
【０００９】
また、本発明に係るポータブルエアコンルームによれば、建築現場や工事現場、被災地において、作業員やボランティア参加者等が定期的にクールダウン若しくは採暖を行うことができ、過酷な環境下においても、作業における集中力の維持と事故の予防を図ることができ、より良い作業環境を提供することができる。作業員等の体調維持にも役立ち、被災地においては被災者も利用することができる。
【図面の簡単な説明】
【００１０】
【図１】本発明に係るポータブルエアコンルームの概要を示す外観斜視図である。
【図２】本発明に係るポータブルエアコンルームの正面図である。
【図３】本発明に係るポータブルエアコンルームの背面図である。
【図４】吊り下げ用フックの設置例を示す斜視図である。
【図５】フック他の構造例を示す図である。
【図６】本発明に係るポータブルエアコンルームの断面構造例を示す平面図である。
【図７】椅子の折り畳む状態を示す機構図である。
【図８】ポータブルエアコンルーム内に設置された照明灯の一例を示す構造図である。
【発明を実施するための形態】
【００１１】
本発明に係るポータブルエアコンルームは、一側面部に設けられた開き戸等の開閉扉から、入退室が可能になっている密閉型の直方体状の筐体で成り、筐体の一側面部の内側にエアコンの室内機が設置されると共に、外側に室外機が設置され、エアコンには電源コードが接続されており、筐体内の天井板若しくは側面上部に照明灯が設置され、照明灯には電源コードが接続されており、筐体の底部に折り畳み可能な椅子が設置されている。
【００１２】
本発明のポータブルエアコンルームは、２トントラックなどで建築現場等に持ち込むことが可能であり、吊り下げ部材を設けている場合には、建設機械であるユンボ（登録商標）で吊り上げ下すことができるので、工事現場、被災地など設置場所はどこでも良い。クールダウン若しくは採暖を必要とする場所に、運搬して簡単に設置することができる。そして、設置後は電源コードを商用電源のコンセントに差し込んで、スイッチをＯＮするだけで直ぐに利用が可能である。
【００１３】
以下に、本発明の実施の形態を、図面を参照して説明する。
【００１４】
図１は本発明に係るポータブルエアコンルーム１０の外観斜視図、図２は正面図、図３は背面図である。
【００１５】
本発明に係るポータブルエアコンルーム１０は図１に示すように、直方体状の立設した筐体構造であり、長形状の４側面部１１〜１４と、頂部の天井板１５及び底部の床板１６とで密閉型に形成されている。４側面部１１〜１４、天井板１５及び床板１６は断熱材（保温材）で成っており、一体型でも良く、結合部材で結合した結合型でも良い。断熱材としては繊維系断熱材や発泡系断熱材を用いることができるが、木製や金属製であっても良い。
【００１６】
正面の側面部１１には開き戸の開閉扉２０が設けられており、開閉扉２０には開閉用のノブ２１が取り付けられ、開閉扉２０は蝶番２２Ａ〜２２Ｃを支点として開閉される。これにより、作業員等は開閉扉２０の開閉によって自由に入退室できる。また、側面部１２には換気用のルーバー３０が設けられており、適宜室内を換気できるようになっている。図１では横型のルーバー３０を例示しているが、縦型であっても良い。
【００１７】
また、背面の側面部１３には、図３に示すようにエアコン５０の圧縮機、凝縮機などの室外機５１が設置され、内部には蒸発器、膨張弁などの室内機５２が設置されている。そして、エアコン５０には、ＯＮ／ＯＦＦ用のスイッチ（図示せず）を介して電源コード４０が接続されており、電源コード４０を商用電源のコンセントに差し込み、スイッチをＯＮすれば作動するようになっている。エアコン５０の温度は一般の室内エアコンと同様に、温度調整が可能である。
【００１８】
ポータブルエアコンルーム１０の頂部の天井板１５の外側には、油圧ショベル、パワーショベル、バックホー等の建設機械であるユンボ（登録商標）で吊り下げて運搬可能なように、吊り下げ部材としてフック６１及び６２（１対）が設けられている。なお、フックは、ポータブルエアコンルーム１０をユンボ（登録商標）などで運搬可能な構造であれば良く、図５（Ａ）に示すようにリング６３を支柱６４で取り付けた構造でも良く、或いは図５（Ｂ）に示すように半円状の金具６５であっても良い。また、吊り下げ部材の数も２個で示しているが、任意の数である。
【００１９】
図６は本発明に係るポータブルエアコンルーム１０の断面構造を示しており、背面部の側面部１３の室内側にはエアコン５０の室内機５２が設けられていると共に、側面部１２の室内側に折り畳み可能な椅子７０が設置され、同様に側面部１４の室内側にて折り畳み可能な椅子７１が設置されている。椅子７０及び７１は折り畳み式であり、例えば図７に示すように支点部材７２を支点にして、水平位置（使用時）と垂直位置（不使用時）とを、手で回動（上げ下げ）する構造で良い。
【００２０】
また、ポータブルエアコンルーム１０内にはＬＥＤ等の照明灯８０が設置され、室内が暗くて不安にならないように、室内を明るくするようになっている。照明灯８０は点灯／消灯用のスイッチ（図示せず）を介して電源コード４０に接続されている。電源コード４０を商用電源のコンセントに差し込み、点灯／消灯用のスイッチをＯＮすれば点灯するようになっており、別途設けられている調節部を調整することによって照明灯８０の明るさ（照度）を調節可能である。図８（Ａ）に示すように、天井板１５の下側に照明灯８０を垂設しても良く、或いは図８（Ｂ）に示すように、側面部１４の上部にユニバーサルアーム８１を取り付け、ユニバーサルアーム８１の先端部に照明灯８０を設けても良い。側面部１２，１３であっても良い。
【００２１】
本発明のポータブルエアコンルーム１０は、夏季においては、被災地における被災者のクールダウン用として、被災地におけるボランティア参加者のクールダウン用として利用でき、工事現場等における作業員等のクールダウン用として利用できる。また、冬季においては、被災地における被災者の採暖用として、被災地におけるボランティア参加者の採暖用として利用でき、工事現場等における作業員等の採暖用として利用できる。
【００２２】
開閉扉は開き戸で示しているが、引き戸や折れ戸であっても良く、２つの椅子７０，７１を示しているが、空間スペースに関連して数は１つでも、３つでも良い。また、エアコンのＯＮ／ＯＦＦ用のスイッチと照明灯の点灯／消灯用のスイッチを別にしているが、１つのスイッチで兼用するようにしても良い。この場合には、スイッチをＯＮすることによりエアコンが運転を開始して照明灯が同時に点灯し、スイッチをＯＦＦすることによりエアコンが運転を停止すると共に、照明灯も同時に消灯する。
【００２３】
なお、ルーバー３０、エアコン５０、照明灯８０、ＯＮ／ＯＦＦ（点灯／消灯）用のスイッチの設置場所は、適宜選択できる。
【符号の説明】
【００２４】
１０            ポータブルエアコンルーム
１１〜１４      側面部
１５            天井板
１６            床板
２０            開閉扉
２１            ノブ
３０            ルーバー
４０            電源コード
５０            エアコン
５１            室外機
５２            室内機
６１、６２      フック
７０、７１      椅子
８０            照明灯
【図１】
2020063864.tif 000003
【図２】
2020063864.tif 000004
【図３】
2020063864.tif 000005
【図４】
2020063864.tif 000006
【図５】
2020063864.tif 000007
【図６】
2020063864.tif 000008
【図７】
2020063864.tif 000009
【図８】
2020063864.tif 000010